(57)【要約】【課題】マイクロホンの使用者がミキシングなどのコントロールを手元で行うことが可能であり、またコードの引き回しを最小限にする。【解決手段】本体マイクロホンと、音源に接続可能な１または複数の外部入力端子と、本体マイクロホンからの音声信号と外部入力端子に接続される音源からの音声信号とをミキシングするミキサ部と、ミキサ部でミキシングされた音声出力信号を無線送信するワイヤレス送信部とを備える。【選択図】　　　図２
2004112036.tif 000002
【特許請求の範囲】
【請求項１】
本体マイクロホンと、
音源に接続可能な１または複数の外部入力端子と、
前記本体マイクロホンからの音声信号と前記外部入力端子に接続される音源からの音声信号とをミキシングするミキサ部と、
前記ミキサ部でミキシングされた音声出力信号を無線送信するワイヤレス送信部と、
を備えるワイヤレスマイク。
【請求項２】
前記外部入力端子、ミキサ部およびワイヤレス送信部を備える本体ケーシングを含み、前記本体マイクロホンは、基端部が前記本体ケーシングに取り付けられ前記本体ケーシングの所定部に収納可能であるとともに前記本体ケーシングから伸長可能なマイクロホン支持部と、前記マイクロホン支持部の先端に取り付けられるマイクユニットとを備える、請求項１に記載のワイヤレスマイク。
【請求項３】
前記本体マイクロホンの音声信号を出力するための出力プラグと、
前記本体マイクロホンの出力プラグが接続可能なマイク入力端子と、
をさらに備え、前記本体マイクロホンの出力プラグが前記マイク入力端子に接続されていない場合には、他の音源の出力端子が接続可能である、請求項１または２に記載のワイヤレスマイク。
【請求項４】
前記ミキサ部のミキシング操作用の操作つまみが前記本体ケーシングのつまみ装着部に装着されており、
前記操作つまみは、本体操作部と、前記本体操作部の下面中心部に下方に突出して前記本体ケーシング内部に設置される操作デバイスに結合する軸部と、前記軸部が前記操作デバイスに結合するとき下端部が前記本体ケーシング上面近傍に位置するように前記本体操作部の外縁部から下方に突出する外縁突部とを有し、前記本体ケーシングのつまみ装着部は、前記操作つまみの軸部を受け容れる装着用貫通孔と、前記操作つまみの軸部が操作デバイスに結合するとき前記操作つまみの外縁突部の内方に位置し前記装着用貫通孔の周縁部に突出する取り付け突部とを有する、請求項２に記載のワイヤレスマイク。
【請求項５】
前記ミキサ部のミキシング操作用の操作ボタンが前記本体ケーシングのボタン装着部に装着されており、
前記操作ボタンは、上面に位置する操作部と、前記操作部の外縁部から下方に延設される側壁部と、前記側壁部の外方に突出する移動方向に長い線状突部であって前記側壁部の周面方向に互いに離間して設けられる複数の被案内突条とを有し、
前記本体ケーシングのボタン装着部は、前記操作ボタンの操作部上面を露出させる開口部と、前記開口部から内方に向けて設けられ前記操作ボタンの被案内突条を案内する案内壁とを有する、請求項２に記載のワイヤレスマイク。
【請求項６】
前記本体ケーシングは、前記ミキサ部のミキシング操作用の操作部が設けられる上面パネルを含み、前記上面パネルの内壁面と前記ミキサ部を構成する回路基板との間に保護シートが配置されている、請求項２に記載のワイヤレスマイク。
【請求項７】
前記外部入力端子は、音源としてマイクロホンが接続可能なマイク入力端子と音源として音響機器が接続可能な機器入力端子とを備えるチャンネルを含む、請求項１に記載のワイヤレスマイク。
【発明の詳細な説明】
【０００１】
【発明の属する技術分野】
本発明は、ワイヤレスマイクに関し、特に、複数の音源からの音声信号をミキシングしてワイヤレス受信機に送信可能なミキシング機能を備えたワイヤレスマイクに関する。
【０００２】
【従来の技術】
学校や企業のグラウンド、公共のグラウンドなどの広い会場においてＰＡシステムを用いる場合、放送室などの建物内に設置されているミキサなどのコントロール部や既設のスピーカを利用する場合が多い。
たとえば、学校のグラウンドにおいて運動会を行う場合、グラウンド内に設営されたテント内で案内放送を行うための案内放送マイク、表彰台に設置される先生用マイク、競技の指示を行うための競技指示マイクなどの各マイクロホンのコードを、放送室またはコントロール部と接続されている配線盤に接続して用いている。この場合、競技に必要な音楽などを流す場合には、放送室に設置されているＣＤプレイヤやテープレコーダなどの音響機器をミキサと接続し、放送室内の役員が操作している。
【０００３】
また、テント内にＣＤプレイヤやテープレコーダなどの音響機器とミキサを設置し、前述した案内放送用マイク、先生用マイク、競技指示マイクおよび音響機器などの音源をミキサに接続し、ミキサからの出力をスピーカに流すように構成することが考えられる。
【０００４】
【発明が解決しようとする課題】
前者の場合、放送室がグラウンドから遠く離れているような場合には、放送室内の役員がグラウンド内の現状を把握することが困難であり、ミキサや音響機器などを適切に操作できないおそれがある。
後者の場合、ミキサをグラウンド内に設置しているため、舞い上がった砂塵をかぶって故障するおそれがある。
また、いずれの場合も、マイクロホンのコードを引き回す必要があり作業が煩雑である。このため、各マイクロホンをワイヤレスマイクにすることが考えられるが、複数のマイクロホンに対応するワイヤレス受信機を必要とし、高価なシステムを構築する必要がある。
【０００５】
本発明は、マイクロホンの使用者がミキシングなどのコントロールを手元で行うことが可能であり、またコードの引き回しを最小限にすることを目的とする。
【０００６】
【課題を解決するための手段】
本発明の請求項１に係るワイヤレスマイクは、本体マイクロホンと、音源に接続可能な１または複数の外部入力端子と、本体マイクロホンからの音声信号と外部入力端子に接続される音源からの音声信号とをミキシングするミキサ部と、ミキサ部でミキシングされた音声出力信号を無線送信するワイヤレス送信部とを備える。
この場合、本体マイクロホンの使用者が、本体マイクロホンおよび外部端子に接続された音源の音量を調整してミキシングすることが可能となり、現場の状況に沿った適切な操作を可能にする。また、ミキサ部でミキシングされた音声信号はワイヤレス送信部を介して送信しているため、他のマイクロホンや音響機器などの音源から外部入力端子までの配線だけで済むため、配線作業が容易である。
【０００７】
本発明の請求項２に係るワイヤレスマイクは請求項１に記載のワイヤレスマイクであって、外部入力端子、ミキサ部およびワイヤレス送信部を備える本体ケーシングを含み、本体マイクロホンは、基端部が本体ケーシングに取り付けられ本体ケーシングの所定部に収納可能であるとともに本体ケーシングから伸長可能なマイクロホン支持部と、マイクロホン支持部の先端に取り付けられるマイクユニットとを備えている。
この場合、本体マイクロホンを本体ケーシングの所定部に収納することにより、コンパクトな状態で持ち運びが可能になるとともに、本体マイクロホンを使用する際にマイクロホン支持部を伸長させることによって使い勝手が良くなる。
【０００８】
本発明の請求項３に係るワイヤレスマイクは請求項１または２に記載のワイヤレスマイクであって、本体マイクロホンの音声信号を出力するための出力プラグと、本体マイクロホンの出力プラグが接続可能なマイク入力端子とをさらに備え、本体マイクロホンの出力プラグがマイク入力端子に接続されていない場合には、他の音源の出力端子が接続可能となっている。
この場合、本体マイクの出力端子をマイク入力端子から抜いて他の音源の出力端子をマイク入力端子に接続して使用することが可能であり、たとえば、本体マイクロホンと同様の規格のマイクロホンが内蔵されたヘッドセットなどの使用が可能となる。さらに、本体マイクロホンが故障した場合にも交換作業が容易になる。
【０００９】
本発明の請求項４に係るワイヤレスマイクは請求項２に記載のワイヤレスマイクであって、ミキサ部のミキシング操作用の操作つまみが本体ケーシングのつまみ装着部に装着されており、操作つまみは、本体操作部と、本体操作部の下面中心部に下方に突出して本体ケーシング内部に設置される操作デバイスに結合する軸部と、軸部が操作デバイスに結合するとき下端部が本体ケーシング上面近傍に位置するように本体操作部の外縁部から下方に突出する外縁突部とを有し、本体ケーシングのつまみ装着部は、操作つまみの軸部を受け容れる装着用貫通孔と、操作つまみの軸部が操作デバイスに結合するとき操作つまみの外縁突部内方に位置し装着用貫通孔の周縁部に突出する取り付け突部とを有している。
【００１０】
この場合、操作つまみが本体ケーシングのつまみ装着部に取り付けられた際に、操作つまみの外縁突部とつまみ装着部の取り付け突部とが互いにオーバーラップして砂塵が装着用貫通孔に侵入することを防止する。
本発明の請求項５に係るワイヤレスマイクは請求項２に記載のワイヤレスマイクであって、ミキサ部のミキシング操作用の操作ボタンが本体ケーシングのボタン装着部に装着されており、操作ボタンは、上面に位置する操作部と、操作部の外縁部から下方に延設される側壁部と、前記側壁部の外方に突出する移動方向に長い線状突部であって前記側壁部の周面方向に互いに離間して設けられる複数の被案内突条とを有し、本体ケーシングのボタン装着部は、操作ボタンの操作部上面を露出させる開口部と、開口部から内方に向けて設けられ操作ボタンの被案内突条を案内する案内壁とを有している。
【００１１】
この場合、操作ボタンの被案内突条がボタン装着部の案内壁に案内されるため、操作ボタンががたつきなく動作することが可能となる。また、被案内突条が側壁部の周面方向に互いに離間して設けられているため、被案内突条が設けられていない部分は操作ボタンの側壁部とボタン装着部の案内壁との間に間隙があり、砂塵やゴミが侵入したとしても下方に案内されて、操作ボタンの移動を阻害することがなくなる。
本発明の請求項６に係るワイヤレスマイクは請求項２に記載のワイヤレスマイクであって、本体ケーシングは、ミキサ部のミキシング操作用の操作部が設けられる上面パネルを含み、上面パネルの内壁面とミキサ部を構成する回路基板との間に保護シートが配置されている。
【００１２】
この場合、上面パネルに設けられた開口部を介して砂塵が侵入した場合であっても、回路基板上に到達することを防止し、回路のショートや断線などの故障を防止できる。
本発明の請求項７に係るワイヤレスマイクは請求項１に記載のワイヤレスマイクであって、外部入力端子は、音源としてマイクロホンが接続可能なマイク入力端子と音源として音響機器が接続可能な機器入力端子とを備えるチャンネルを含んでいる。
【００１３】
この場合、異なるインピーダンスの機器を同じチャンネルで共用することが可能となり、多様な利用方法を選択できるとともに、インピーダンス設定の誤りによる故障を防止できる。
【００１４】
【発明の実施の形態】
〔概要構成〕
本発明の１実施形態が採用されるワイヤレスマイクを図に基づいて説明する。ワイヤレスマイク１は、内部に回路部品などを内蔵する本体ケーシング２を備えている。本体ケーシング２は、下部ケーシング２９と上面パネルケーシング２１とが重合されその内部中空に回路部品などを内蔵するものである。
本体ケーシング２の左端部には、本体マイクロホン３を収納するためのマイク収納部２２が設けられている。
【００１５】
本体ケーシング２の右側面には、電源スイッチ２４、ＡＣアダプタ接続端子２５が設けられている。また、本体ケーシング２の手前側には、持ち運びに便利なように取っ手２６が設けられている。
本体ケーシング２の前面（操作者の反対側）には、図３に示すように、それぞれ音源に接続可能な複数の外部入力端子が設けられており、本体マイクロホン３と第１チャンネルを共用する第１マイク入力端子６１、第２チャンネルに接続される第２マイク入力端子６２、第３チャンネルを共用する第３マイク入力端子６３および第１ライン入力端子６４、第４チャンネルを共用する第４マイク入力端子６５および第２ライン入力端子６６が設けられている。また、本体ケーシング２の前面には、ミキシングされた音声信号を録音機器に出力する録音出力端子６７が設けられている。
【００１６】
第３チャンネルを共用する第３マイク入力端子６３および第１ライン入力端子６４は、それぞれ接続される機器のインピーダンスに整合するような回路構成となっている。同様に、第４チャンネルを共用する第４マイク入力端子６５および第２ライン入力端子６６は、接続される機器のインピーダンスに整合するような回路構成となっている。
上面パネルケーシング２１の上面には、第１チャンネル〜第４チャンネルのボリュームコントロールを行うための操作つまみ４１〜４４が取り付けられている。また、上面パネルケーシング２１には、本体マイクロホン３のオン／オフ制御を行うための本体マイクスイッチ５１と、第３チャンネルおよび第４チャンネルに接続された音響機器のボリュームを所定量減衰させる音量ダウンスイッチ５２と、本体マイクスイッチ５１のオン／オフ状態を表示するマイク状態表示部５３と、音量ダウンスイッチ５２のオン／オフ状態を表示する音量ダウン状態表示部５４が設けられている。さらに、上面パネルケーシング２１の上面には、ピーク表示部２７、バッテリ残量表示部２８などが設けられている。
【００１７】
〔本体マイクロホン〕
本体マイクロホン３は、図２に示すように、マイクエレメントが保護カバーによって保護される集音部３４と、一端が集音部３４を支持する第１アーム部３１と、基端部３８が本体ケーシング２に回動自在に取り付けられる第２アーム部３２とを備えている。第１アーム部３１の他端部は、第２アーム部３２の先端部と軸着部３３により回動可能に軸支されている。
第２アーム部３２は、本体ケーシング２のマイク収納部２２に設けられる係止爪２３（図２参照）に係合する係合部３５を備えている。係止爪２３は、合成樹脂により上面パネルケーシング２１と一体的に形成された弾性部材でなり、第２アーム部３２がマイク収納部２２に収納された際に、係合部３５に係合して第２アーム部３２を所定位置に保持する。
【００１８】
また、第２アーム部３２は、一方の側面（図１上方）に開放部を備えた筒状体でなり、内部に第１アーム部３１を収納可能な第１アーム収納部３９を構成している。第２アーム部３２の長さ方向中間部には、第１アーム部３１が第１アーム収納部３９に収納された際に第１アーム部３１を保持するための保持爪３５が設けられている。この保持爪３５は、合成樹脂により第２アーム部３２と一体的に形成された弾性部材とすることができる。このことから、本体マイクロホン３を折り畳んで本体ケーシング２のマイク収納部２２に収納する際、第１アーム部３１が第２アーム部３２の第１アーム収納部３９に保持されるとともに第２アーム部３２が係止爪２３により係止状態となり、携帯する際に本体マイク３の収納状態を維持できる。
【００１９】
集音部３４から延設されるコード３６は、筒状に形成された第１アーム部３１の内部中空および第２アーム部３２の中空部に配設されており、先端部に出力プラグ３７に接続されている。出力プラグ３７は、本体ケーシング２の裏面側に設けられる第５マイク入力端子６８（図４参照）に接続されている。
第５マイク入力端子６８には、本体マイクロホン３と同等の性能を有するマイクロホンの接続が可能となっている。たとえば、操作者が頭に装着可能なヘッドセットのマイクロホンを使用する場合には、本体マイクロホン３の使用をせずにヘッドセットのマイクロホン出力を第５マイク入力端子６８に接続するように構成できる。
【００２０】
〔操作つまみ〕
本体ケーシング２の内部には、図６に示すように、ミキシング機能を実現する回路やワイヤレス送信部などの回路部品が収納されている。このうち、第１チャンネル〜第４チャンネルの音量調整を行うためのボリューム素子７１〜７４が配置されている。ボリューム素子７１〜７４は、それぞれシャフト７５〜７８の回転角により抵抗値が変化する可変抵抗で構成されており、操作が容易になるようにシャフト７５〜７８に操作つまみ４１〜４４が結合されている。
【００２１】
操作つまみ４１〜４４はそれぞれ同一の形状で構成されており、操作つまみ４１をその代表として図５に断面図を示す。
操作つまみ４１は、キャップ形状の操作部８１と、操作部８１の下面中心から下方に突出する軸部８２とを備えている。軸部８２の下方にはボリューム素子７１のシャフト７５に嵌合する嵌合孔８３が設けられている。また、操作部８１の外縁部は、軸部８２の嵌合孔８３がボリューム素子７１のシャフト７５に嵌合する際に上面パネルケーシング２１の上面近傍に位置するように延設された外縁突部８４を構成している。
【００２２】
上面パネルケーシング２１には、操作つまみ４１が取り付けられる位置に軸部８２を挿通可能な装着孔９１が設けられている。装着孔９１の周縁部は上面側に突出する取り付け突部９２を構成している。
操作つまみ４１の軸部８２がボリューム素子７１のシャフト７５に装着されると、操作つまみの外縁突部８４と上面パネルケーシング２１の取り付け突部９２が上下方向に互いにオーバーラップして、装着孔９１に砂塵やゴミなどが侵入することを防止する。
【００２３】
〔操作ボタン〕
本体マイクスイッチ５１および音量ダウンスイッチ５２は、図６に示すように、本体ケーシング２の内部に設けられるスイッチ素子（図示せず）と、スイッチ素子のアクチュエータ１０１に取り付けられる操作ボタン１０２とによって構成されている。
操作ボタン１０２は、上面に位置する操作部１０３と、操作部１０３の外縁部から下方に延設される側壁部１０４と、側壁部１０４の外方に突出する移動方向に長い線状突部であって側壁部１０４の周面方向に互いに離間して設けられる複数の被案内突条１０５と、下端部に位置し側壁部１０４の周面に沿って外方に突出する位置規制突部１０６と、スイッチ素子のアクチュエータ１０１に嵌合する装着孔１０７とを備えている。
【００２４】
操作ボタン１０２が配置される上面パネルケーシング２１には、操作ボタン１０２の操作部１０３を露出させる開口部１１１と、開口部１１１から内方に突出し操作ボタン１０２の被案内突条１０５を案内する案内壁１１２とを備えている。
操作ボタン１０２の装着孔１０７がスイッチ素子のアクチュエータ１０１に嵌合されると、操作ボタン１０２の操作部１０３上面が上面パネルケーシング２１の開口部１１１から露出するとともに、スイッチ素子のアクチュエータ１０１が最大に伸長した状態で位置規制突部１０６が案内壁１１２の下端面１１３に当接して位置決めされる。
【００２５】
被案内突条１０５は、図６に示すように、操作ボタン１０２の側壁部１０４の周面の対向する位置に２対設けられており、各被案内突条１０５が案内壁１１２に当接あるいは近接状態で配置されることにより、操作ボタン１０２の前後左右のがたつきをなくすことができる。また、被案内突条１０５が側壁部１０４の周面方向に互いに離間して設けられているため、被案内突条１０５のない部分において側壁部１０４と案内壁１１２との間隙が大きくなり、侵入した砂塵が間隙に噛み込んで操作ボタン１０２の上下動を妨げることが少なくなる。
【００２６】
〔保護シート〕
第１チャンネル〜第４チャンネルから入力される音声信号をミキシングするための回路が実装された回路基板（図示せず）が本体ケーシング２内に内蔵されている。この回路基板は下部ケーシング２９内に配置され、前述したような各チャンネルの音量調整を行うためのボリューム素子７１〜７４およびスイッチ素子が上面に搭載されている。
この回路基板の上面には、外部から侵入する砂塵が回路基板上に到達することを防止するための保護シート１２０が配置されている。この保護シート１２０は、回路基板を保護するために電気絶縁性を有し、好ましくは吸湿性の低い材料で構成することができ、たとえば、発泡ポリウレタン樹脂、その他の発泡合成樹脂シート、樹脂フィルム、布または不織布、紙、その他の材料で構成することができる。
【００２７】
また、この保護シート１２０には、ボリューム素子７１〜７４のシャフト７５〜７８およびスイッチ素子のアクチュエータ１０１が挿通される挿通孔１２１〜１２６が形成されている。この他にも、回路基板上に搭載されるＬＥＤなどの発光素子から、上面パネルケーシング２１のマイク状態表示部５３、音量ダウン状態表示部５４、ピーク表示部２７、バッテリ残量表示部２８などに光を案内する光ガイドが設けられる場合には、これら光ガイドを挿通する挿通孔が保護シートに設けられる。
【００２８】
このような保護シート１２０を回路基板上に設けることにより、外部から侵入した砂塵やゴミなどが回路基板上に到達して回路部品のショートや断線の発生を軽減することができる。
〔本体マイクスイッチおよび音量ダウンスイッチ〕
上面パネルケーシング２１の上面に設けられている本体マイクスイッチ５１は、本体マイクロホン３のオン／オフ制御を行うものである。この本体マイクスイッチ５１のオン／オフ状態は、マイク状態表示部５３の表示により目視確認することが可能である。
【００２９】
また、上面パネルケーシング２１の上面に設けられている音量ダウンスイッチ５２は第３チャンネルおよび第４チャンネルの音量を所定量減衰させるものである。この音量ダウンスイッチ５２のオン／オフ状態は、音量ダウン状態表示部５４の表示により目視確認することが可能である。
このような構成で、たとえば、第３チャンネルおよび第４チャンネルにＣＤプレイヤやテープレコーダなどを接続してプログラムに対応する音楽や音声を流す。本体マイクロホン３を用いてアナウンスを行うときには、本体マイクスイッチ５１を押して本体マイクロホン３をオン状態にし、音量ダウンスイッチ５２を押して第３チャンネルおよび第４チャンネルの音量を減衰させることにより、ＢＧＭの音量を小さくしてアナウンスの音声を明瞭に放送することができる。
【００３０】
〔外部入力端子〕
外部入力端子は、前述したように、第１チャンネル〜第４チャンネルにマイクロホンのプラグを直接接続することが可能なフォーンジャックを設けている。また、第３チャンネルおよび第４チャンネルには、ライン入力のためのミニジャックを設けている。このことから、ジャックの形状により接続されるプラグが特定されるため、セッティング時における誤配線や誤設定を防止することが可能となる。
【００３１】
【発明の効果】
本発明では、本体マイクロホンからの音声信号と、本体マイクロホンと異なる他の音源からの音声信号をミキシングしてワイヤレス送信を行うため、複数のマイクロホンの配線が容易になる。また、本体マイクロホンの操作者がミキシング操作することを可能とし、接続される音響機器の操作も容易になり、会場全体の雰囲気を把握しながら各種操作ができるようになる。
【図面の簡単な説明】
【図１】本発明の１実施形態の外観を示す斜視図。
【図２】本体マイクロホンを伸長させた状態を示す斜視図。
【図３】端子部の説明図。
【図４】底面の説明図。
【図５】操作つまみの断面図。
【図６】本体ケーシングの分解状態を示す斜視図。
【図７】操作ボタンの断面図。
【図１】
2004112036.tif 000003
【図２】
2004112036.tif 000004
【図３】
2004112036.tif 000005
【図４】
2004112036.tif 000006
【図５】
2004112036.tif 000007
【図６】
2004112036.tif 000008
【図７】
2004112036.tif 000009